(57)【要約】      （修正有）【課題】安い価格で製作でき、望みの色温度を容易に得られるＬＥＤ照明装置を提供する。【解決手段】白色の基板の上にＬＥＤを配列した光源部３０から成るＬＥＤ照明装置において、ＬＥＤ２の列の傍の基板１の面に帯状の着色部２３を設ける。【効果】有色の帯状部分をＬＥＤ発光素子の列の傍らの基板の面に設けるだけで光源の色温度を所望のように調整できる。それ故、用途に応じて要求される色温度を得るために色温度の異なるＬＥＤ発光素子を種々取りそろえる必要がないから、それによる設計、製造、在庫管理等の面での負担が解消され、その結果好ましい演色性をもつ照明装置を安価に提供できる。また、照明装置は、高価な色フィルター、あるいは製造上管理の難しい色フィルター層等を用いないで、所望の色温度の光源を容易に、あるいは安定して得ることができる。【選択図】図５
2014220218.tif 000002
【特許請求の範囲】
【請求項１】
少なくとも１のＬＥＤ発光素子及び絶縁性かつ白色の基板から成り、前記基板の１面に前記ＬＥＯ発光素子が所定の直線または曲線に沿って配列されたＬＥＤ照明装置において、
前記ＬＥＤ発光素子の列の片側又は両側において前記基板の前記面に、有色の不連続でもよい帯状の部分を有することを特徴とするＬＥＤ照明装置。
【請求項２】
前記ＬＥＤ発光素子が前記所定の直線に沿って配列された請求項１のＬＥＤ照明装置。
【請求項３】
前記ＬＥＤ発光素子の前記列の両側に前記帯状の部分を有する請求項１または２のＬＥＤ照明装置。
【請求項４】
前記帯状の部分が連続である請求項１または２のＬＥＤ照明装置。
【請求項５】
前記ＬＥＤ発光素子が前記所定の直線に沿って配列され、前記ＬＥＤ発光素子の前記列の両側に、連続した前記帯状の部分を有する、請求項１のＬＥＤ照明装置。
【請求項６】
前記帯状の部分が、前記ＬＥＤ発光素子の発する白色光の短波長成分を吸収する分光特性を有する、請求項１のＬＥＤ照明装置。
【請求項７】
前記帯状の部分が、前記ＬＥＤ発光素子の発する白色光の長波長成分を吸収する分光特性を有する、請求項１のＬＥＤ照明装置。
【請求項８】
前記帯状の部分が一定の幅を有する請求項１のＬＥＤ照明装置。
【請求項９】
前記帯状の部分が長さ方向の部分によって異なる幅を有する、請求項１のＬＥＤ照明装置。
【請求項１０】
前記帯状の部分が透明又は半透明である、請求項１のＬＥＤ照明装置。
【請求項１１】
前記ＬＥＤ発光素子の前記列を複数有し、それらの間に前記帯状の部分を有する、請求項１のＬＥＤ照明装置。
【発明の詳細な説明】
【発明の詳細な説明】
【技術分野】
【０００１】  本発明はＬＥＤ照明装置に関するもので、特に安い価格で製作でき、望みの色温度を容易に得られるＬＥＤ照明装置に関する。
【背景技術】
【０００２】  絶縁性かつ白色の基板の１面にＬＥＤ発光素子を具えるＬＥＤ照明装置は近年室内照明に広く使われるようになった。従来、このようなＬＥＤ照明装置において望みの色温度を得るには、ＬＥＤ発光素子の構造、ＬＥＤ半導体の成分、および併用する蛍光体の組成を調節して、望みの色温度で発光させるようにしている。【０００３】  照明装置の用途は多岐にわたり、用途により要求される色温度が異なる。光源に要求される色温度が多様であるため、それぞれの用途に適する色温度のＬＥＤ発光素子を取りそろえる必要があった。これはＬＥＤ発光素子（以下、ＬＥＤと略記）の設計、製造、在庫管理等いろいろの面で、生産・流通の負担になる。【０００４】  色温度の異なる２種（以上）のＬＥＤを組み合わせて所望の色温度を得ることが行われているが、これも生産・流通の負担は変わらない。有色の光を発光するＬＥＤを白色光ＬＥＤと組み合わせて所望の色温度を得る方法も実用新案登録３１３２２５３（特許文献１）及び特許公開２００９−１７６６９２（特許文献２）で提案されているが、白色光ＬＥＤとともに必要な種類と数の有色ＬＥＤを用意する必要がある点で、問題は同じである。【０００５】  光源の正面に色温度変換フィルターを設ける方法が、例えば特許公開２０１３−４３６５（特許文献３）に開示されているが、的確な変換性能をもつ光学フィルターは一般に高価である。色フィルター層を個別のＬＥＤの頂部に設けて色温度を調整する工夫も特許公開２００９−２０００２１（特許文献４）で提案されているが、フィルター層の濃度、厚さの的確な管理が容易でない（ＬＥＤの略記終了）。
【先行技術文献】
【特許文献】
【０００６】
【特許文献１】  実用新案登録３１３２２５３
【特許文献２】  特許公開２００９−１７６６９２
【特許文献３】  特許公開２０１３−４３６５
【特許文献４】  特許公開２００９−２０００２１
【発明の概要】
【発明が解決しようとする課題】
【０００７】  それ故、照明装置の用途により要求される色温度を得るために色温度の異なる多種のＬＥＤ発光素子を取りそろえることによる負担を解消することが、本発明の目的である。【０００８】  本発明の他の目的は、高価な、あるいは製造上管理の難しい色フィルター層等を用いないで、所望の色温度の光源を得ることにある。
【課題を解決するための手段】
【０００９】  本発明の上記目的を達成するＬＥＤ照明装置は、少なくとも１のＬＥＤ発光素子及び絶縁性かつ白色の基板から成り、この基板の１面にＬＥＤ発光素子が所定の直線または曲線に沿って配列されたＬＥＤ照明装置において、ＬＥＤ発光素子の列の片側又は両側において基板の面に、有色の不連続でもよい帯状の部分を有することを特徴とする。【００１０】  ＬＥＤ発光素子は、所定の直線に沿って配列されることが有利であるが、曲線に沿って配列されてもよい。帯状の部分はＬＥＤ発光素子の列の両側に設けてもよく、あるいは列の片側に有してもよい。帯状の部分は連続でもよく、必要に応じて不連続としてもよい。ＬＥＤ発光素子の列が複数ある場合には、それらの間に帯状部分を有してもよい。【００１１】  帯状の部分は、基板の光反射性を利用するために透明または半透明であるのが有利である。しかし帯状の部分は不透明でもよく、その場合表面が光反射性であれば発明の効果は得られる。【００１２】  帯状の部分の分光吸収は、照明装置の用途に応じてＬＥＤ発光素子の発する光（特に白色光）の短波長成分を吸収するものでもよく、長波長成分を吸収するものでもよい。例えば、赤色、黄色、橙色、あるいは緑色、青色などとすることができる。【００１３】  帯状の部分の幅は、一定でもよいが、長さ方向の部分によって異なる幅を有してもよい。この場合、幅の変化は規則的でも不規則でもよい。例えば、長さ方向に一定の間隔で、広い幅の部分と狭い幅の部分を交互に有してもよい。照明装置の長さ方向の両端に近い部分で帯状部の幅を狭くして、分光吸収を小さくし、照度を補強することもできる。【００１４】  ＬＥＤ発光素子の列の両側に帯状の部分を設けた場合、それらは幅およびその変化に関して、ＬＥＤ発光素子の列に対し対称でもよく、また非対称でもよい。【００１５】  帯状の部分は、基板の面より隆起していてもよいし、基板に埋没して、基板と同じ高さの面を有してもよい。基板の面より若干低くてもよい。透明または半透明の着色されたテープ等を貼り合わせて構成するのが簡便で、品質管理上も有利である。なぜならテープは一定の色濃度、厚さで大量生産が容易であるから。テープ等の色濃度や厚さが多少変動しても、本発明の照明装置においては、それに対応してテープ等の幅を調整すれば、所望の色温度を容易に得ることができる。
【発明の効果】
【００１６】  本発明の照明装置によれば、有色の帯状部分をＬＥＤ発光素子の列の傍らの基板の面に設けるだけで光源の色温度を所望のように調整できる。それ故、用途に応じて要求される色温度を得るために色温度の異なるＬＥＤ発光素子を種々取りそろえる必要がないから、それによる設計、製造、在庫管理等の面での負担が解消され、その結果好ましい演色性をもつ照明装置を安価に提供できる。また本発明の照明装置によれば高価な色フィルター、あるいは製造上管理の難しい色フィルター層等を用いないで、所望の色温度の光源を容易に、あるいは安定して得ることができる。【００１７】  帯状の部分は透明または半透明の着色されたテープ等を用いて構成することができ、テープ等の色濃度や厚さが多少変動しても、本発明の照明装置においては、それに対応してテープ等の幅を調整するだけで、所望の色温度を容易に得ることができる。
【図面の簡単な説明】
【００１８】
【図１】  本発明を実施するための第一の形態に相当するＬＥＤ照明装置の光源部の平面図
【図２】  第一の形態のＬＥＤ照明装置の光源部の断面図
【図３】  本発明を実施するための第二の形態に相当するＬＥＤ照明装置の光源部の平面図
【図４】  （ａ）及び（ｂ）  第二の形態のＬＥＤ照明装置の光源部の断面図
【図５】  本発明を実施するための第三の形態に相当するＬＥＤ照明装置の光源部の平面図
【図６】  第三の形態のＬＥＤ照明装置の光源部の断面図
【図７】  本発明を実施するための第四の形態に相当するＬＥＤ照明装置の光源部の平面図
【図８】  （ａ）及び（ｂ）  第四の形態のＬＥＤ照明装置の光源部の断面図
【図９】  本発明を実施するための第五の形態に相当するＬＥＤ照明装置の光源部の平面図
【図１０】  第五の形態のＬＥＤ照明装置の光源部の断面図
【図１１】  本発明を実施するための第六の形態に相当するＬＥＤ照明装置の光源部の平面図
【図１２】  第六の形態のＬＥＤ照明装置の光源部の断面図
【発明を実施するための最良の形態】
【００１９】（第一の実施の形態）
図１および図２は、本発明を実施するための第一の形態に相当するＬＥＤ照明装置の光源部を示す。光源部１０は基板１、白色発光ダイオード２、着色部３Ａ，３Ｂを具える。白色発光ダイオード２は基板１の面１ａに直線に沿って固定されており、この面１ａは白色で光反射性である。着色部３Ａ，３Ｂは面１ａ上に白色発光ダイオード２の列の両側に配置されている。【００２０】  図２は第一の形態の光源部１０の、図１の線分ＸＸに沿った断面を示す。着色部３Ａ及び３Ｂは面１ａ上に設けられている。この実施の形態では、着色部３Ａ，３Ｂは赤色に着色された透明の層である。基板１の面１ｂ（裏面）には、白色発光ダイオード２に適合した電力を供給するための電気部品および配線が設置されるが、簡略のため図示しない。【００２１】（第二の実施の形態）
図３および図４は本発明を実施するための第二の形態に相当するＬＥＤ照明装置の光源部を示す。光源部２０は、それぞれが不連続の着色部１３Ａ及び１３Ｂを有する。それ以外は光源部１０と同じであるため、説明を省く。【００２２】  図４（ａ）及び４（ｂ）に第二の形態の光源部２０の断面を示す。図４（ａ）は図３の線分ＹＹに沿った断面を、図４（ｂ）は図３の線分ＺＺに沿った断面を、それぞれ示す。図４（ａ）には着色部１３Ａ及び１３Ｂの断面が示されている。【００２３】  着色部３Ａ，３Ｂ等は透明または半透明の、例えば赤色の層である。不透明又はそれに近い場合には表面を光反射性とする必要がある。【００２４】（第三の実施の形態）
図５および図６は本発明を実施するための第三の形態に相当するＬＥＤ照明装置の光源部を示す。光源部３０では、白色発光ダイオード２の列の片側に着色部２３を設けている。図６は図５の線分ＷＷに沿った断面を示す。【００２５】（第四の実施の形態）
図７および図８は本発明を実施するための第四の形態に相当するＬＥＤ照明装置の光源部を示す。光源部４０では光源部３０と同様に白色発光ダイオード２の列の片側に着色部を設けているが、着色部の輻が一定でなく、幅の狭い着色部３３ｎと幅の広い着色部３３ｗから成る。図８（ａ）は図７の線分ＵＵに沿った断面を、図８（ｂ）は図７の線分ＶＶに沿った断面を、それぞれ示す。【００２６】（第五の実施の形態）
図９および図１０は本発明を実施するための第五の形態に相当するＬＥＤ照明装置の光源部を示す。光源部５０では、白色発光ダイオード２Ａ，２Ｂがそれぞれ直線上に列をつくり、それらの外側に着色部４３Ａおよび４３Ｂを設けている。図１０は図９の線分ＳＳに沿った断面を示す。【００２７】（第六の実施の形態）
図１１および図１２は本発明を実施するための第六の形態に相当するＬＥＤ照明装置の光源部を示す。光源部６０では、白色発光ダイオード２Ａ，２Ｂの列の間に着色部５３を設けている。図１２は図１１の線分ＴＴに沿った断面を示す。【００２８】  本発明の照明装置は上記の各実施形態で説明した光源部、例えば前述の光源部１０を、適宜のケースに収め、発光ダイオードに電力を供給するため、基板裏面に配置した電気部品を介して、発光ダイオードを外部電源に配線で接続することにより構成される。【００２９】  図１３は、本発明の照明装置の典型的な構成を示す断面図である。図１３では第六の実施の形態の例を示した。基板１、ＬＥＤ発光素子２Ａ，２Ｂ、着色された帯状部５３、及び電気部品４により構成される光源部（ここでは前述の光源部６０）が、ケース５に収容されている。ＬＥＤ発光素子２Ａ，２Ｂに電気配線６で接続された電気部品４は電気配線６ａで、図示されない外部電源に接続される。他の実施の形態についても同様に構成される。
【符号の説明】
【００３０】１    基板
１ａ  面
２，２Ａ，２Ｂ  白色発光ダイオード
３Ａ，３Ｂ      着色部
４        電気部品
５        ケース
６        電気配線
６ａ      電気配線
１０，２０，３０，４０，５０，６０  光源部
１３Ａ，１３Ｂ        着色部
２３，３３ｎ，３３ｗ  着色部
４３Ａ，４３Ｂ        着色部
５３                  着色部
【図１】
2014220218.tif 000003
【図３】
2014220218.tif 000004
【図５】
2014220218.tif 000005
【図７】
2014220218.tif 000006
【図２】
2014220218.tif 000007
【図４】
2014220218.tif 000008
【図６】
2014220218.tif 000009
【図８】
2014220218.tif 000010
【図９】
2014220218.tif 000011
【図１１】
2014220218.tif 000012
【図１０】
2014220218.tif 000013
【図１２】
2014220218.tif 000014
【図１３】
2014220218.tif 000015
【手続補正書】
【提出日】平成25年7月22日(2013.7.22)
【手続補正１】
【補正対象書類名】明細書
【補正対象項目名】００１８
【補正方法】変更
【補正の内容】
【００１８】
【図１】  本発明を実施するための第一の形態に相当するＬＥＤ照明装置の光源部の平面図
【図２】  第一の形態のＬＥＤ照明装置の光源部の断面図
【図３】  本発明を実施するための第二の形態に相当するＬＥＤ照明装置の光源部の平面図
【図４】  （ａ）及び（ｂ）  第二の形態のＬＥＤ照明装置の光源部の断面図
【図５】  本発明を実施するための第三の形態に相当するＬＥＤ照明装置の光源部の平面図
【図６】  第三の形態のＬＥＤ照明装置の光源部の断面図
【図７】  本発明を実施するための第四の形態に相当するＬＥＤ照明装置の光源部の平面図
【図８】  （ａ）及び（ｂ）  第四の形態のＬＥＤ照明装置の光源部の断面図
【図９】  本発明を実施するための第五の形態に相当するＬＥＤ照明装置の光源部の平面図
【図１０】  第五の形態のＬＥＤ照明装置の光源部の断面図
【図１１】  本発明を実施するための第六の形態に相当するＬＥＤ照明装置の光源部の平面図
【図１２】  第六の形態のＬＥＤ照明装置の光源部の断面図
【図１３】  本発明のＬＥＤ照明装置の典型的な構成を示す断面図